(57)【特許請求の範囲】
【請求項１】
移動通信システムにおける位置基盤サービス（ＬＢＳ）を提供する方法であって、
位置サーバ（ＬＳ）で位置クライアントから移動端末機（ＭＳ）の位置情報を要求するための位置トリガーを受信した場合に、前記ＭＳに対するアンカー認証器の識別子（ＩＤ）を要求するための認証要求メッセージを、前記ＬＳから権限・認証・アカウンティングサーバ（ＡＡＡ）へ送信するステップと、
前記ＡＡＡで前記認証要求メッセージを受信した場合に、前記ＡＡＡから前記ＬＳへ、前記アンカー認証器のＩＤを含む認証応答メッセージを送信するステップと、
前記ＬＳで前記認証応答メッセージを受信した場合に、前記ＭＳに対する位置制御器（ＬＣ）の位置制御器識別子（ＬＣＩＤ）を要求するためのＬＣＩＤ要求メッセージを、前記ＬＳから前記アンカー認証器へ送信するステップと、
前記アンカー認証器で前記ＬＣＩＤ要求メッセージを受信した場合に、前記ＭＳがアイドルモードにある場合には、前記ＭＡとの呼出し動作を開始するための呼出し開始要求メッセージを、前記アンカー認証器からアンカー呼出し制御器（ＡＰＣ）へ送信するステップと、
前記ＡＰＣで前記呼出し開示要求メッセージを受信した場合には、前記ＭＳを呼出して前記ＭＳが属しているサービングＬＣを検出して前記サービングＬＣのＬＣＩＤを、前記ＡＰＣから前記アンカー認証器へ送信するステップと、
前記アンカー認証器で前記サービングＬＣのＬＣＩＤを受信した場合には、前記サービングＬＣのＬＣＩＤを含むＬＣＩＤ応答メッセージを、前記アンカー認証器から前記ＬＳへ送信するステップと、
前記ＬＳで前記ＬＣＩＤ応答メッセージを受信した場合には、前記ＭＳの位置情報に関する報告を要求するための位置報告要求メッセージを、前記ＬＳから前記サービングＬＣへ送信するステップと、
前記サービングＬＣで前記位置報告要求メッセージを受信した場合には、前記ＭＳの位置情報を含む位置報告応答メッセージを、前記サービングＬＣから前記ＬＳへ送信するステップと、
を含むことを特徴とする方法。
【請求項２】
前記ＭＳがアイドルモードにあることを示す情報を含むＬＣＩＤ正常受信（ＬＣＩＤ ＡＣＫ）メッセージを、前記アンカー認証器から前記ＬＳへ送信するステップをさらに含むことを特徴とする請求項１に記載の方法。
【請求項３】
前記位置報告要求メッセージは、前記サービングＬＣが前記ＭＳの位置情報を報告する報告期間を示す報告期間情報と、前記サービングＬＣが前記ＭＳの位置情報を周期的に報告する全時区間を示す区間情報と、を含むことを特徴とする請求項１に記載の方法。
【請求項４】
前記位置報告応答メッセージを送信するステップは、
前記サービングＬＣが前記位置報告メッセージを受信した後に、前記ＭＳの位置情報を含む位置報告応答メッセージを前記ＬＳへ送信するステップと、
前記サービングＬＣが前記報告周期情報と区間情報とを使用して、前記ＭＳの位置情報を前記全体時区間の間、前記報告周期ごとに前記位置報告応答メッセージに含めて前記ＬＳへ送信するステップと、
を含み、
前記位置情報を送信するステップは、周期的位置セッション動作と定義されることを特徴とする請求項３に記載の方法。
【請求項５】
前記ＬＳで前記サービングＬＣの周期的位置セッション動作遂行の終了を決定した場合には、前記周期的位置セッション動作遂行の終了を示す情報を含むＬＣＩＤ終了メッセージを、前記ＬＳから前記サービングＬＣへ送信するステップをさらに含むことを特徴とする請求項４に記載の方法。
【請求項６】
前記サービングＬＣで前記ＬＣＩＤ終了メッセージを受信した場合には、前記ＬＣＩＤ終了メッセージを正常に受信したことを示すＬＣＩＤ正常受信（ＬＣＩＤ ＡＣＫ）メッセージを、前記サービングＬＣから前記ＬＳへ送信するステップをさらに含む請求項５に記載の方法。
【請求項７】
移動通信システムにおける位置サーバ（ＬＳ）が位置基盤サービス(ＬＢＳ)を提供する方法であって、
位置クライアントから移動端末機（ＭＳ）の位置情報を要求するための位置トリガーを受信した場合には、前記ＭＳに対するアンカー認証器の識別子（ＩＤ）を要求するための認証要求メッセージを、権限・認証・及びアカウンティングサーバ（ＡＡＡ）へ送信するステップと、
前記認証要求メッセージを送信した後に、前記ＡＡＡから前記アンカー認証器のＩＤを含む認証応答メッセージを受信するステップと、
前記認証応答メッセージを受信した場合には、前記ＭＳに対するサービング位置制御器（ＬＣ）のＬＣＩＤを要求するための位置制御器識別子（ＬＣＩＤ）要求メッセージを、前記アンカー認証器へ送信するステップと、
前記ＬＣＩＤ要求メッセージを送信した後に、前記サービングＬＣのＬＣＩＤを含むＬＣＩＤ応答メッセージを、前記アンカー認証器から受信するステップと、
前記ＬＣＩＤ応答メッセージを受信した場合には、前記ＭＳの位置情報に関する報告を要求するための位置報告要求メッセージを、前記サービングＬＣへ送信するステップと、
前記位置報告要求メッセージを送信した後に、前記ＭＳの位置情報を含む位置報告応答メッセージを、前記サービングＬＣから受信するステップと、
を含むことを特徴とする方法。
【請求項８】
前記ＬＣＩＤ要求メッセージを送信した後に、前記アンカー認証器から前記ＭＳがアイドルモードにあることを示す情報を含むＬＣＩＤ正常受信（ＬＣＩＤ ＡＣＫ）メッセージを受信するステップをさらに含むことを特徴とする請求項７に記載の方法
【請求項９】
前記位置報告要求メッセージは、前記サービングＬＣが前記ＭＳの位置情報を報告する報告期間を示す報告期間情報と、前記サービングＬＣが前記ＭＳの位置情報を周期的に報告する全時区間を示す区間情報と、を含むことを特徴とする請求項７に記載の方法。
【請求項１０】
前記位置報告応答メッセージを受信するステップは、
前記サービングＬＣから前記ＭＳの位置情報を含む位置報告応答メッセージを受信するステップと、
前記全時区間の間に、前記報告期間ごとに、前記サービングＬＣから前記ＭＳの位置情報を含む位置報告応答メッセージを受信するステップとをさらに含み、
前記位置報告応答メッセージの受信は、周期的位置セッション動作と定義されることを特徴とする請求項９に記載の方法。
【請求項１１】
前記周期的位置セッション動作遂行の終了を決定するステップと、
前記周期的位置セッション動作遂行の終了を示す情報を含むＬＣＩＤ終了メッセージを前記サービングＬＣへ送信するステップと、をさらに含むことを特徴とする請求項１０に記載の方法。
【請求項１２】
前記ＬＣＩＤ終了メッセージを送信した後に、前記サービングＬＣから前記ＬＣＩＤ終了メッセージを正常に受信したことを示すＬＣＩＤ正常受信（ＬＣＩＤ ＡＣＫ）メッセージを受信するステップをさらに含むことを特徴とする請求項１１に記載の方法。
【請求項１３】
前記ＭＳがアイドルモードにあることを特徴とする請求項７に記載の方法。
【請求項１４】
移動通信システムにおけるアンカー認証器が位置基盤サービス（ＬＢＳ）を提供するための方法であって、
位置サーバ（ＬＳ）から移動端末機（ＭＳ）に対するサービング位置制御器（ＬＣ）の位置制御器識別子（ＬＣＩＤ）を要求するためのＬＣＩＤ要求メッセージを受信するステップと、
前記ＬＣＩＤ要求メッセージを受信した場合には、前記ＭＳとの呼出し動作を開始するための呼出し開始要求メッセージをアンカー呼出し制御器（ＡＰＣ）へ送信するステップと、
前記呼出し開始要求メッセージを送信した後に、前記ＡＰＣから前記ＭＳに対するサービングＬＣのＬＣＩＤを受信するステップと、
前記サービングＬＣのＬＣＩＤを含むＬＣＩＤ応答メッセージを前記ＬＳへ送信する過程と、を含み、
前記ＭＳは、位置クライアントの位置トリガーに従って、その位置情報が要求されるＭＳであることを特徴とする方法。
【請求項１５】
前記ＬＣＩＤ要求メッセージを受信した場合には、前記ＭＳがアイドルモードにあることを示す情報を含むＬＣＩＤ正常受信（ＬＣＩＤ ＡＣＫ）メッセージを前記ＬＳへ送信するステップをさらに含むことを特徴とする請求項１４に記載の方法。
【請求項１６】
移動通信システムにおけるアンカー呼出し制御器（ＡＰＣ）が位置基盤サービス（ＬＢＳ）を提供するための方法であって、
アンカー認証器から移動端末機（ＭＳ）との呼出し動作を開始するための呼出し開始要求メッセージを受信するステップと、
前記呼出し開始要求メッセージを受信した場合には、前記ＭＳを呼び出して前記ＭＳのサービングＬＣを検出し、前記サービングＬＣのＬＣＩＤを前記アンカー認証器へ送信するステップと、を含む特徴とする方法。
【請求項１７】
前記ＭＳがアイドルモードにあることを特徴とする請求項１６に記載の方法。
【請求項１８】
移動通信システムにおける位置基盤サービス（ＬＢＳ）を提供するシステムであって、
位置クライアントから移動端末機（ＭＳ）の位置情報を要求するための位置トリガーを受信し、前記ＭＳに対するアンカー認証器の識別子（ＩＤ）を要求するための認証要求メッセージを権限・認証・アカウンティングサーバ（ＡＡＡ）へ送信し、前記ＡＡＡから認証応答メッセージを受信し、前記ＭＳに対する位置制御器（ＬＣ）のＬＣＩＤを要求するための位置制御器識別子（ＬＣＩＤ）要求メッセージを前記アンカー認証器へ送信し、ＬＣＩＤ応答メッセージを受信し、前記ＭＳの位置情報を報告することを要求する位置報告要求メッセージを前記サービングＬＣへ送信し、前記サービングＬＣから前記ＭＳの位置情報を含む位置報告応答メッセージを受信する位置サーバ（ＬＳ）と、
前記ＬＳから前記認証要求メッセージを受信し、前記アンカー認証器のＩＤを含む前記認証応答メッセージを前記ＬＳへ送信する前記ＡＡＡと、
前記ＬＣＩＤ要求メッセージを受信し、前記ＭＳがアイドルモードにある場合には、アンカー呼出し制御器（ＡＰＣ）へ前記ＭＳとの呼出し動作を開始するための呼出し開始要求メッセージを送信する前記アンカー認証器と、
前記呼出し開始要求メッセージを受信し、前記ＭＳを呼び出して前記ＭＳのサービングＬＣを検出し、前記サービングＬＣのＬＣＩＤを前記アンカー認証器へ送信する前記ＡＰＣと、
前記位置報告要求メッセージを受信し、前記ＭＳの位置情報を含む前記位置報告応答メッセージを前記ＬＳへ送信する前記サービングＬＣと、
を含むことを特徴とするシステム。
【請求項１９】
前記アンカー認証器は、前記ＭＳがアイドルモードにあることを示す情報を含むＬＣＩＤ正常受信（ＬＣＩＤ ＡＣＫ）メッセージを前記ＬＳへ送信することを特徴とする請求項１８に記載のシステム。
【請求項２０】
前記位置報告要求メッセージは、前記サービングＬＣが前記ＭＳの位置情報を報告する報告期間を示す報告期間情報と、前記サービングＬＣが前記ＭＳの位置情報を周期的に報告する全時区間を示す区間情報と、を含むことを特徴とする請求項１８に記載システム。
【請求項２１】
前記サービングＬＣは、前記位置報告要求メッセージを受信した後に、前記ＭＳの位置情報を含む位置報告応答メッセージを前記ＬＳへ送信し、前記報告周期情報と区間情報を使用して前記ＭＳの位置情報を前記全体時区間の間、前記報告周期ごとに前記位置報告応答メッセージに含めて前記ＬＳへ送信する周期的位置セッション動作を遂行することを特徴とする請求項２０に記載のシステム。
【請求項２２】
前記ＬＳは、前記サービングＬＣの周期的位置セッション動作遂行の終了を決定し、前記周期的位置セッション動作遂行の終了を示すＬＣＩＤ終了メッセージを前記サービングＬＣへ送信することを特徴とする請求項２１に記載のシステム。
【請求項２３】
前記サービングＬＣは、前記ＬＣＩＤ終了メッセージを受信した後に、前記ＬＣＩＤ終了メッセージを正常に受信したことを示すＬＣＩＤ正常受信（ＬＣＩＤ ＡＣＫ）メッセージを前記ＬＳへ送信することを特徴とする請求項２２に記載のシステム。
【発明の詳細な説明】
【技術分野】
【０００１】
本発明は、移動通信システムにおける位置基盤サービス（ＬＢＳ）を提供するシステム及び方法に関する。
【背景技術】
【０００２】
移動通信システムは、既存の音声サービスだけでなく、音声サービスとは差別化した多様な付加サービスを提供する進歩したシステムに発展している。現在の移動通信システムの市場において、音声サービス基盤サービスプロバイダーは、利潤創出の限界に至った。したがって、サービスプロバイダーは、音声サービスとは差別化した多様な付加サービス、例えば、移動端末機（ＭＳ）の位置情報に基づく位置基盤サービス（Location Based Services；以下、“ＬＢＳ”と称する）のような多様な付加サービスを提供することにより、利潤を追求している。例えば、代表的なＬＢＳは、友人検索サービス、位置検索サービス、及びカーナビゲーションサービスなどを含む。
【０００３】
一方、移動通信システムが発展するに伴い、移動通信システムで提供されるサービスが多様化しており、したがって、移動通信システムの性能を増加させるためには、大容量のデータを高速で送受信することを要求している。現在の移動通信システムにおいては、大容量のデータを高速で送受信するために多様な標準についての研究が活発に進んでおり、そのような標準のうちの１つであるワイマックス（Worldwide Interoperability for Microwave Access；以下、“ＷｉＭＡＸ”と称する。）フォーラムネットワークワーキンググループ（Forum Network Working Group）標準は、現在、その標準化作業が進んでいる。
【０００４】
最近では、ＬＢＳに対するユーザーの要求が増加しているものの、ＬＢＳを提供するための具体的な方式がＷｉＭＡＸフォーラムネットワークワーキンググループ標準で提案されたところがない。したがって、ＷｉＭＡＸフォーラムネットワークワーキンググループ標準を使用する移動通信システムにおけるＬＢＳを提供するための方式に対する必要性が高まっている。
【発明の開示】
【発明が解決しようとする課題】
【０００５】
本発明は、少なくとも上記の問題および/または欠点を検討し、かつ下記に述べられた長所を少なくとも提供するためになされた。本発明の目的は、移動通信システムにおけるＬＢＳを提供するためのシステム及び方法を提供することにある。
【課題を解決するための手段】
【０００６】
本発明によれば、移動通信システムにおけるＬＢＳを提供する方法が提供される。かかるＬＢＳ提供方法は、位置サーバ（ＬＳ）で位置クライアントから移動端末機（ＭＳ）の位置情報を要求するための位置トリガーを受信した場合には、上記ＬＳから上記ＭＳに対するアンカー認証器の識別子（ＩＤ）を要求するための認証要求メッセージを権限・認証・アカウンティングサーバ（ＡＡＡ）へ送信し、上記ＡＡＡで上記認証要求メッセージを受信した場合には、上記ＡＡＡから上記アンカー認証器のＩＤを含む認証応答メッセージを上記ＬＳへ送信し、上記ＬＳで上記認証応答メッセージを受信した場合には、上記ＬＳから上記ＭＳに対する位置制御器（ＬＣ）の位置制御器識別子（ＬＣＩＤ）を要求するためのＬＣＩＤ要求メッセージを上記アンカー認証器へ送信し、上記アンカー認証器で上記ＬＣＩＤ要求メッセージを受信した場合には、上記ＭＳがアイドルモードにある場合に、上記ＭＡとの呼出し動作を開始するための呼出し開始要求メッセージをアンカー呼出し制御器（ＡＰＣ）へ送信し、上記ＡＰＣで上記呼出し開示要求メッセージを受信すると、上記ＭＳを呼出して上記ＭＳのサービングＬＣを検出し、上記サービングＬＣのＬＣＩＤを上記アンカー認証器へ送信し、上記アンカー認証器で上記サービングＬＣのＬＣＩＤを受信した場合には、上記アンカー認証器から上記サービングＬＣのＬＣＩＤを含むＬＣＩＤ応答メッセージを上記ＬＳへ送信し、上記ＬＳで上記ＬＣＩＤ応答メッセージを受信した場合には、上記ＬＳから上記ＭＳの位置情報に関する報告を要求するための位置報告要求メッセージを上記サービングＬＣへ送信し、上記サービングＬＣで上記位置報告要求メッセージを受信した場合には、上記サービングＬＣから上記ＭＳの位置情報を含む位置報告応答メッセージを上記ＬＳへ送信することを特徴とする。
【０００７】
本発明によれば、移動通信システムにおけるＬＳがＬＢＳを提供する方法が提供される。かかるＬＢＳ提供方法は、位置クライアントから移動端末機（ＭＳ）の位置情報を要求するための位置トリガーを受信した場合には、上記ＭＳに対するアンカー認証器の識別子（ＩＤ）を要求するための認証要求メッセージを権限、認証、及びアカウンティングサーバ（ＡＡＡ）へ送信し、上記認証要求メッセージを送信した後に、上記ＡＡＡから上記アンカー認証器のＩＤを含む認証応答メッセージを受信し、上記認証応答メッセージを受信した場合には、上記ＭＳに対するサービング位置制御器（ＬＣ）のＬＣＩＤを要求するための位置制御器識別子（ＬＣＩＤ）要求メッセージを上記アンカー認証器へ送信し、上記ＬＣＩＤ要求メッセージを送信した後に、上記アンカー認証器から上記サービングＬＣのＬＣＩＤを含むＬＣＩＤ応答メッセージを受信し、上記ＬＣＩＤ応答メッセージを受信した場合には、上記ＭＳの位置情報に関する報告を要求するための位置報告要求メッセージを上記サービングＬＣへ送信し、上記位置報告要求メッセージを送信した後に、上記サービングＬＣから上記ＭＳの位置情報を含む位置報告応答メッセージを受信することを特徴とする。
【０００８】
本発明によれば、移動通信システムにおけるアンカー認証器がＬＢＳを提供する方法が提供される。かかるＬＢＳ提供方法は、位置サーバ（ＬＳ）から移動端末機（ＭＳ）に対するサービング位置制御器（ＬＣ）の位置制御器識別子（ＬＣＩＤ）を要求するためのＬＣＩＤ要求メッセージを受信し、上記ＬＣＩＤ要求メッセージを受信した場合には、上記ＭＳとの呼出し動作を開始するための呼出し開始要求メッセージをアンカー呼出し制御器（ＡＰＣ）へ送信し、上記呼出し開始要求メッセージを送信した後に、上記ＡＰＣから上記ＭＳに対するサービングＬＣのＬＣＩＤを受信し、上記サービングＬＣのＬＣＩＤを含むＬＣＩＤ応答メッセージを上記ＬＳへ送信し、上記ＭＳは、位置クライアントの位置トリガーに従って、その位置情報が要求されるＭＳであることを特徴とする。
【０００９】
本発明によれば、移動通信システムにおけるアンカー呼出し制御器（ＡＰＣ）が位置基盤サービス（ＬＢＳ）を提供する方法が提供される。かかるＬＢＳ提供方法は、アンカー認証器から移動端末機（ＭＳ）との呼出し動作を開始するための呼出し開始要求メッセージを受信し、上記呼出し開始要求メッセージを受信した場合には、上記ＭＳを呼び出して上記ＭＳのサービングＬＣを検出し、上記サービングＬＣのＬＣＩＤを上記アンカー認証器へ送信することを特徴とする。
【００１０】
本発明によれば、移動通信システムにおけるＬＢＳを提供するシステムが提供される。かかるＬＢＳ提供システムは、位置クライアントから移動端末機（ＭＳ）の位置情報を要求するための位置トリガーを受信し、上記ＭＳに対するアンカー認証器の識別子（ＩＤ）を要求するための認証要求メッセージを権限・認証・アカウンティングサーバ（ＡＡＡ）へ送信し、上記ＡＡＡから認証応答メッセージを受信し、上記ＭＳに対する位置制御器（ＬＣ）のＬＣＩＤを要求するための位置制御器識別子（ＬＣＩＤ）要求メッセージを上記アンカー認証器へ送信し、ＬＣＩＤ応答メッセージを受信し、上記ＭＳの位置情報を報告することを要求する位置報告要求メッセージを上記サービングＬＣへ送信し、上記サービングＬＣから上記ＭＳの位置情報を含む位置報告応答メッセージを受信する位置サーバ（ＬＳ）と、上記ＬＳから上記認証要求メッセージを受信し、上記アンカー認証器のＩＤを含む上記認証応答メッセージを上記ＬＳへ送信する上記ＡＡＡと、上記ＬＣＩＤ要求メッセージを受信した場合には、上記ＭＳがアイドルモードにある場合、アンカー呼出し制御器（ＡＰＣ）へ上記ＭＳとの呼出し動作を開始するための呼出し開始要求メッセージを送信する上記アンカー認証器と、上記呼出し開始要求メッセージを受信した場合には、上記ＭＳを呼び出して上記ＭＳのサービングＬＣを検出し、上記サービングＬＣのＬＣＩＤを上記アンカー認証器へ送信する上記ＡＰＣと、上記位置報告要求メッセージを受信し、上記ＭＳの位置情報を含む上記位置報告応答メッセージを上記ＬＳへ送信する上記サービングＬＣと、を含むことを特徴とする。
【発明の効果】
【００１１】
本発明は、ＷｉＭＡＸフォーラムネットワークワーキンググループ標準を使用する移動通信システムにおけるＬＢＳの提供を可能にする。したがって、本発明は、ＷｉＭＡＸフォーラムネットワークワーキンググループ標準を使用する移動通信システムにおいて、ＬＢＳに基づく多様なサービスの提供を可能とし、それによって、サービスプロバイダーに新たな利潤創出に対する機会を与え、ユーザーがＬＢＳに基づく多様なサービスを受信することができるようにし、したがって、ＷｉＭＡＸサービスを大衆化することができる。
【発明を実施するための最良の形態】
【００１２】
以下、本発明の好適な一実施形態を、添付図面を参照しつつ詳細に説明する。本発明の実施形態の下記の説明において、本発明の要旨のみを明瞭にする目的で、関連した公知の機能又は構成に関する具体的な説明は省略する。
【００１３】
本発明は、移動通信システムにおける位置基盤サービス（ＬＢＳ）を提供するシステム及び方法を提案する。本発明を説明するに当たり、ＷｉＭＡＸフォーラムネットワークワーキンググループ標準を使用する移動通信システムを例を挙げて説明するが、本発明は、これに限定されない。
【００１４】
図１は、本発明の実施形態によるＬＢＳ提供システムの構成を示す図である。
【００１５】
図１を参照すると、ＬＢＳ提供システムは、移動端末機（ＭＳ）１００と、アクセスサービスネットワーク（ＡＳＮ）１１０と、接続サービスネットワーク（ＣＳＮ）１２０と、を含む。また、ＡＳＮ１１０は、第１の基地局（ＢＳ１）１３０と、第２の基地局（ＢＳ２）１４０と、ＡＳＮゲートウェイ（ＡＳＮ#ＧＷ）１５０と、を含む。ＭＳ１００とＢＳ１ １３０とＢＳ２ １４０との間のインターフェース方式は、Ｒ１インターフェース方式である。ＭＳ１００とＣＳＮ１２０との間のインターフェース方式は、Ｒ２インターフェース方式である。ＡＳＮ#ＧＷ１５０とＣＳＮ１２０との間のインターフェース方式は、Ｒ３インターフェース方式である。ＢＳ１ １３０とＡＳＮ#ＧＷ１５０との間、及びＢＳ２ １４０とＡＳＮ#ＧＷ１５０との間のインターフェース方式は、Ｒ６インターフェース方式である。ＢＳ１ １３０とＢＳ２ １４０との間のインターフェース方式は、Ｒ８インターフェース方式である。Ｒ１インターフェース方式、Ｒ２インターフェース方式、Ｒ３インターフェース方式、Ｒ６インターフェース方式、及びＲ８インターフェース方式は、本発明とは直接関連がないので、その詳細な説明を省略する。
【００１６】
ＣＳＮ１２０は、位置サーバ（ＬＳ）１２１を含む。ＬＳ１２１は、ＭＳ１００の位置情報をオペレータネットワークの複数の内部授権エンティティーまたはオペレータネットワークの複数の外部授権エンティティーに提供する。ここで、オペレータネットワークは、ＷｉＭＡＸフォーラムネットワークワーキンググループ標準（ＷｉＭＡＸネットワーク）を使用するネットワークを意味し、授権エンティティーは、ＭＳ１００の位置情報を要求する権限を有するエンティティー、例えば、ＬＢＳクライアントを意味する。また、内部ＬＢＳクライアントは、ＷｉＭＡＸネットワークの内部に存在し、外部ＬＢＳクライアントは、ＷｉＭＡＸネットワークの外部に存在する。
【００１７】
ＡＳＮ#ＧＷ１５０は、位置制御器（ＬＣ）１５１を含み、ＬＣ１５１は、外部からの照会要求がある場合には、ネットワーク開始ＬＢＳプロセスを起動する。すなわち、ＬＣ１５１は、ＭＳ１００の位置情報に対する外部の照会要求を受信すると、ネットワーク開始ＬＢＳプロセスを起動する。ＬＳ１２１は、ＭＳ１００のサービングＡＳＮ１１０に接続しているＬＣ１５１の識別子（ＩＤ）を記憶する。ここで、サービングＡＳＮに含まれたＬＣがサービングＬＣであり、ＭＳ１００のサービングＬＣである。ＬＳ１２１は、ＬＣ１５１により送信されたＭＳ１００に関する位置測定結果を用いて、ＭＳ１００の位置を計算する。
【００１８】
ＬＣ１５１は、ＢＳ１ １３０及びＢＳ２ １４０と連動して、ＭＳ１００の位置情報を決定するか、またはＭＳ１００の位置パラメータを決定する。ＬＣ１５１は、ＭＳ１００の位置情報またはＭＳ１００の位置パラメータを、ＬＳ１２１またはＭＳ１００に提供する。また、ＬＣ１５１は、ＭＳ１００の位置情報またはＭＳ１００の位置パラメータをＡＳＮ１１０に含まれた他の複数の内部エンティティー、例えば、無線リソース管理（ＲＲＭ）エンティティー及び移動性管理（ＭＭ）エンティティーのような他の複数の内部エンティティーに提供することができる。ＲＲＭエンティティー及びＭＭエンティティーは、図１に別途に図示されない。ＭＳ１００及びＬＳ１２１またはＡＳＮ１１０に含まれた他の複数のエンティティーからＭＳ１００の位置情報または位置パラメータに対する要求が受信される場合には、ＬＣ１５１は、ＭＳ１００に対する位置測定を起動し、ＭＳ１００の位置決定に必要とされる全てのデータを収集する。ＬＣ１５１は、ＭＳ１００のサービングＢＳをすでに認識しており、ＭＳ１００のサービングＢＳに関する情報をＬＳ１２１に提供する。
【００１９】
また、位置エージェント（ＬＡ）は、位置測定を遂行するか、または、位置決定に必要とされるデータを選択的に収集する。また、ＬＡは、位置関連データをＬＣ１５１に提供する。ここで、ＬＡは、ＭＳ１００（ＬＡ１０１）、ＢＳ１ １３０（ＬＡ１３１）、及びＢＳ２ １４０（ＬＡ１４１）内に含まれることができる。また、ＬＡがＭＳに配置される場合には、それに対応するＬＡは、ＢＳに配置される。
【００２０】
一方、図１には図示されていないが、ＣＳＮ１２０は、権限・認証・アカウンティングサーバ（Authorization，Authentication and Accounting server；以下、“ＡＡＡ”と称する）を含み、ＡＡＡは、ＭＳ１００のアンカー認証器のＩＤを管理する。ここで、アンカー認証器は、ＭＳ１００のサービングＬＣのＩＤを管理し、ＡＳＮ１１０に含まれている。特に、アンカー認証器は、ＡＳＮ１１０内でＡＳＮ#ＧＷ１５０の内部に位置することもでき、または外部に位置することもできる。便宜上、アンカー認証器は、ＡＳＮ#ＧＷ１５０の外部に位置すると仮定する。
【００２１】
また、ＡＳＮ１１０は、呼出し制御器(Paging Controller；以下、“ＰＣ”と称する)を含み、ＰＣは、ＡＳＮ#ＧＷ１５０の内部に位置することもでき、または外部に位置することもできる。説明の便宜上、ＰＣはＡＳＮ#ＧＷ１５０の外部に位置すると仮定する。
【００２２】
図２は、本発明の実施形態によるＬＢＳ提供システムにおけるアイドルモードにあるＭＳのサービングＬＣを決定する過程を示す。
【００２３】
図２の説明前に、本発明の実施形態によるＬＢＳ提供システムにおいて、アイドルモードにあるＭＳのサービングＬＣを決定する過程を概略的に説明する。
【００２４】
まず、ＭＳの位置を決定するために、ＬＳは、ＭＳの有効ＬＣ（すなわち、サービングＬＣ）を決定しなければならない。ＬＳがサービングＬＣのＬＣＩＤを決定する過程は、次のようなプッシュアンドプル（push and pull）コンポーネントを含む。
【００２５】
（１） ＬＣ#ＩＤプル
ＭＳに対する周期的位置情報要求または非周期的位置情報要求を開始するために、ＬＳは、ＡＡＡとの過程を介してサービングＬＣのＬＣＩＤを決定する。ここで、上記‘周期的位置情報要求’は、サービングＬＣがＭＳの位置情報を周期的に報告することをＬＳに要求することを意味する。上記‘非周期的位置情報要求’は、サービングＬＣがＭＳの位置情報を非周期的に、すなわち、たった１回だけで報告することをＬＳに要求することを意味する。
【００２６】
（２）ＬＣ#ＩＤプッシュ
ＬＳが周期的位置情報に対する要求をサービングＬＣへ送信する場合には、サービングＬＣがＭＳの位置情報をＬＳに周期的に提供する間に、上記ＬＣＩＤが上記ＬＳへ提供される。例えば、アイドルモードが終了する場合には、アイドルモードにあるＭＳが位置するＡＳＮ内のＬＣは、ＬＳを更新する。上記アイドルモードの終了過程の間、位置コンテキストは、他のタイプ／長さ／値（ＴＬＶ）情報を通じて送信される。
【００２７】
ＬＳが上記周期的位置情報要求を終了しようとする場合には、ＬＣＩＤ終了メッセージを現在のＬＣに送信することにより、ＬＣ#ＩＤプッシュを介したＬＳでのＬＣＩＤ更新を終了させることができる。
【００２８】
図２を参照すると、まず、ＬＳ２００は、ステップ２１１で、位置クライアントからＭＳ（図示せず）の位置情報を要求するための位置トリガーを受信する（ＭＳに対する位置トリガー）。位置クライアントは、ＭＳの位置情報を要求するためのエンティティーを意味し、位置クライアントは、ＷｉＭＡＸネットワークの内部に配置されるか、または、ＷｉＭＡＸネットワークの外部に配置されることができる。また、ＷｉＭＡＸネットワークの内部に配置された位置クライアントは、図１で説明された内部授権エンティティーである一方で、ＷｉＭＡＸネットワークの外部に配置された位置クライアントは、図１で説明された外部授権エンティティーである。位置トリガーを受信すると、ＬＳ２００は、ステップ２１３で、認証要求（認証ＲＥＱ）メッセージをＡＡＡ２１０へ送信する（認証ＲＥＱ（ＭＳＩＤを含む））。ここで、認証ＲＥＱメッセージは、ＭＳに対するアンカー認証器識別子を要求するメッセージであり、ＬＳ２００が取得しようとする上記位置情報、ＭＳの識別子（すなわち、ＭＳＩＤ）を含む。また、図２には図示されていないが、認証ＲＥＱメッセージは、位置クライアントの識別子を含むこともできる。認証ＲＥＱメッセージを受信すると、ＡＡＡ２１０は、ステップ２１５で、認証ＲＥＱメッセージに含まれているＭＳＩＤを使用して、認証及び授権動作を遂行する（認証及び授権）。認証動作は、位置クライアントがＭＳの位置情報を要求する資格を有するか否かを確認する動作を示し、授権動作は、ＭＳの位置情報を位置クライアントに公開することができるか否かを確認する動作を示す。
【００２９】
認証及び授権動作を正常に遂行した後に、ＡＡＡ２１０は、ステップ２１７で、認証応答（認証ＲＳＰ）メッセージをＬＳ２００へ送信する（認証ＲＳＰ（アンカー認証器ＩＤを含む））。ここで、認証ＲＳＰメッセージは、認証ＲＥＱメッセージに対する応答メッセージであり、ＭＳのアンカー認証器ＩＤを含む。また、図２には図示されていないが、ＡＡＡ２１０により遂行された認証動作及び授権動作の結果、位置クライアントがＭＳの位置情報を要求する資格を有していないか、または、ＭＳの位置情報を位置クライアントに公開することができない場合には、ＡＡＡ２１０は、認証ＲＳＰメッセージに、認証及び授権動作に失敗したことを示す情報を含ませてＬＳ２００へ送信する。その後、ＬＳ２００は、位置トリガーに失敗したことを示す通知を位置クライアントへ送信する。一方、図２では、ＡＡＡ２１０が認証及び授権動作を遂行する場合を一例を挙げて説明したが、必要に応じて、ＡＡＡ２１０は、認証及び授権動作を省略することもできる。認証ＲＳＰメッセージを受信すると、ＬＳ２００は、受信された認証ＲＳＰメッセージからＭＳのアンカー認証器ＩＤを検出することができる。したがって、ＬＳ２００は、ステップ２１９で、ＬＣＩＤ要求（ＬＣＩＤ ＲＥＱ）メッセージをアンカー認証器ＩＤに対応するアンカー認証器（すなわち、アンカー認証器２２０）へ送信する（ＬＣＩＤ ＲＥＱ（ＭＳＩＤを含む））。ＬＣＩＤ ＲＥＱメッセージは、ＭＳのサービングＬＣに対するＬＣＩＤを要求するメッセージであり、ＭＳのＭＳＩＤを含む。
【００３０】
アンカー認証器２２０は、ステップ２２１で、ＬＣＩＤ ＲＥＱメッセージを受信すると、ＬＣＩＤメッセージを正常に受信したことを示すＬＣＩＤ正常受信（ＬＣＩＤ ＡＣＫ）メッセージを送信する。ここで、アンカー認証器２２０は、ＭＳの動作モードを管理しているので、ＭＳが現在アイドルモードにあるか、またはアウェイク（awake）モードにあるかを認識している。本発明おいては、ＭＳがアイドルモードにあると仮定しているので、アンカー認証器２２０は、ＭＳがアイドルモードにあることを示す情報をＬＣＩＤ ＡＣＫメッセージに含める。アンカー認証器２２０は、ステップ２２３で、ＬＣＩＤ ＡＣＫメッセージを送信した後に、ＭＳに対する呼出し動作を開始するための呼出し開始要求メッセージを、ＡＰＣ２３０に送信する。
【００３１】
ＡＰＣ２３０は、ステップ２２５で、呼出し開始要求メッセージを受信すると、ＭＳを呼出す。図２には図示されていないが、ＡＰＣ２３０がＭＳを呼出す動作に対して説明すると、下記のようである。
【００３２】
ＡＰＣ２３０は、ＡＰＣ２３０が管理している呼出し領域(paging zone)内に存在する全てのＡＳＮ#ＧＷへ呼出し案内（paging announce）メッセージを送信する。ここで、呼出し案内メッセージは、ＭＳのＭＳＩＤを含み、ＭＳを呼出すことを示すメッセージである。呼出し案内メッセージを受信すると、呼出し領域内の全てのＡＳＮ#ＧＷのそれぞれは、各ＡＳＮ#ＧＷに接続されている全てのＢＳへ呼出し案内メッセージを送信する。すると、アイドルモードにあったＭＳは、アウェイクモードに遷移するか、位置更新（Location update）動作を遂行する。したがって、ＡＰＣ２３０は、ＭＳが現在接続している基地局及びＡＳＮ#ＧＷを認識するようになる。また、アンカー認証器２２０もＭＳが現在接続している基地局及びＡＳＮ#ＧＷを確認することができる。
【００３３】
このように、ＭＳが呼び出されることによって、ＭＳは、ステップ２２７で、ＡＳＮにおけるアイドルモード動作を終了する。ここで、アイドルモードにあったＭＳが接続していたＡＳＮは、ＡＰＣ２３０が存在していたＡＳＮとは相異であることもでき、同一であることもでき、ＡＤＰＦが存在しているＡＮＳとは相異であることもでき、同一であることもできる。
【００３４】
一方、アンカー認証器２２０は、ステップ２２９で、ＬＣＩＤ応答（ＬＣＩＤ ＬＳＰ）メッセージをＬＳ２００へ送信する。ここで、ＬＣＩＤ ＲＳＰは、サービングＬＣのＬＣＩＤを含む。
【００３５】
ＬＣＩＤ ＲＳＰメッセージを受信すると、ＬＳ２００は、ＭＳのサービングＬＣを確認することができる。したがって、ＬＳ２００は、ステップ２３１で、ＭＳのサービングＬＣ（すなわち、サービングＬＣ２４０）へ位置報告要求メッセージを送信する（位置報告要求（ＭＳＩＤ、周期、レゾリューションなどを含む））。図２では、サービングＬＣ２４０がＬＣ ＡＳＮ（即ち、サービングＡＳＮ）２４０で示されたことに留意しなければならない。また、位置報告要求メッセージは、ＭＳに関する位置情報を報告することを要求するメッセージであり、（ｉ）ＭＳのＭＳＩＤと、（ｉｉ）ＭＳの位置情報を報告する報告期間（周期）を示す報告期間情報と、（ｉｉｉ）周期的報告を遂行する全時区間を示す区間（duration）情報と、を含むと仮定する。また、報告期間情報が予め定められた値(例えば、‘０’)で記載される場合には、ＭＳに関する位置情報を周期的に報告する必要がないことを示す。報告期間情報が‘０’で記載されている場合には、区間情報も予め定められた値（例えば、‘０’）で記載されると仮定する。
【００３６】
位置報告要求メッセージを受信すると、サービングＬＣ２４０は、ＭＳに対する位置決定動作を開始する。すなわち、サービングＬＣ２４０は、ステップ２３３で、ＭＳに対する位置決定のためにＡＳＮ間手順を遂行する（ＡＳＮ間位置の決定）。その後、サービングＬＣ２４０は、ステップ２３５で、位置報告応答メッセージとともに、ＭＳに関する位置情報をＬＳ２００へ送信する（位置報告応答（ＭＳに関する位置情報を含む））。位置報告要求メッセージに含まれている報告期間情報が設定値ではない場合、すなわち、ＭＳの位置情報が周期的に報告されなければならない場合には、サービングＬＣ２４０は、ＭＳがサービングＬＣ２４０から離れるか、位置報告要求メッセージに含まれている区間が終了するか、または、ＬＳ２００が周期的位置セッションの終了を決定するときまでは、位置報告応答メッセージをＬＳ２００へ周期的に送信する。ここで、‘周期的位置セッション’は、サービングＬＣ２４０が、位置報告応答メッセージをＬＳ２００へ周期的に送信するセッションを意味する。
【００３７】
一方、周期的位置セッションを終了しようとする場合には（周期的位置セッションの終了）、ＬＳ２００は、ステップ２３７で、ＬＣＩＤ終了メッセージをサービングＬＣ２４０へ送信して、サービングＬＣ２４０がＭＳの位置情報をこれ以上周期的に報告しないように制御する。ＬＣＩＤ終了メッセージを受信すると、サービングＬＣ２４０は、ステップ２３９で、ＬＣＩＤ終了メッセージを正常に受信したことを示すＬＣＩＤ ＡＣＫメッセージをＬＳ２００へ送信する。
【００３８】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００３９】
【図１】本発明の実施形態によるＬＢＳ提供システムの構成を示す図である。
【図２】本発明の実施形態によるＬＢＳ提供システムにおけるアイドルモードにあるＭＳのサービングＬＣを決定する過程を示す図である。
【図１】
0005199643.tif 000002
【図２】
0005199643.tif 000003